(57)【特許請求の範囲】
【請求項１】
外郭ケースの上面に設けたトッププレートと、前記トッププレートの下面に設けた複数の誘導加熱コイルと、前記複数の誘導加熱コイルの夫々に対応して設けた誘導加熱コイルを駆動する駆動回路を有する複数の駆動回路基板を多段に積み重ねた電源供給部と、前記駆動回路基板および誘導加熱コイルに送風する遠心型ファンと、前記遠心型ファンの上部に設けられ前記遠心型ファンを駆動するモータと、前記遠心型ファンを囲うファンケースと、ロースタと、前記誘導加熱コイルと前記ロースタとを操作する操作部とを備え、前記遠心型ファンは上下両方に吸気口を有し、かつ上下からの吸気を仕切る仕切り部を有するとともに、前記ファンケースの前記下方の吸気口に対応する風路である貫通孔部分に袴部を設け、前記外郭ケースの上面に設けた吸気口より侵入した溢水による水の飛沫が前記袴部に当たることにより前記遠心型ファンに吸い込まれないようにした誘導加熱調理器。
【発明の詳細な説明】
【０００１】
【発明の属する技術分野】
本発明は、誘導加熱調理器に関し、特に誘導加熱コイルおよびその駆動回路基板を冷却する構成に関する。
【０００２】
【従来の技術】
近年、台所で使用される加熱調理器として、火を使わない、燃焼ガスのでない安全なクリーンな熱源として誘導加熱調理器が普及してきている。この誘導加熱調理器の従来の構成は次のようなものであった。
【０００３】
図４は、キャビネットに取り付けられた状態の誘導加熱調理器の斜視図である。一般にこの種の誘導加熱調理器はシステムキッチンのキャビネット１００に組み込んで使用するものである。外郭ケース１の上面にトッププレート２が設けられ、このトッププレート２には二口の誘導加熱部３ａ、３ｂと一口のラジエントヒータ４と吸気口５とが設けられている。前方側面には魚などを焼くロースタ６と、ロースタおよび加熱部を操作する操作部７とが設けられている。
【０００４】
図５は誘導加熱調理器の右側側面断面図ある。図において、トッププレート２の下方には誘導加熱部３ａに対応して誘導加熱コイル８が設けられている。そしてその下部には誘導加熱コイル８を駆動する駆動回路９が駆動回路基板１０上に設けられている。この駆動回路基板１０の近傍にはファンケース１１およびファンカバー１２により囲われ、ファン１３とそれを駆動するモータ１４とを有するファン室が設けられている。ファン１３は一般に軸流ファンが用いられている。なお、駆動回路基板１０の下には風の流れを制御し駆動回路基板１０を基板ベース１５を介して支持する仕切板１６が設けられている。
【０００５】
この構成でモータ１４が駆動しファン１３が回転すると吸気口５より空気が吸入される。この空気は矢印で示すように外郭ケース１に沿って下方に流れファン１３を通りファン室の排気口より駆動回路基板１０および誘導加熱コイル８方向に排気される。この気流は駆動回路基板１０上の駆動回路９の部品を冷却した後さらに誘導加熱コイルを冷却し外郭ケース１の外へ排出される。
【０００６】
また、誘導加熱部３ｂに対しても誘導加熱部３ａに対すると同一の構成が設けられているがその説明は省略する。
【０００７】
【発明が解決しようとする課題】
しかしながら、近年ロースタの使い勝手をよくするために、その内容積を大きくして欲しいという要望が高まってきた。この要望に答えるためにただ単に内容積を大きくするだけでは、誘導加熱調理器全体の大きさが大きくなってしまうという問題が生じた。
【０００８】
そこで、左右にある誘導加熱コイルを駆動する駆動回路を有する駆動回路基板をどちらか一方に積み重ねて設計することが考えられた。しかしこの場合、積み重ねられた駆動回路を冷却するために従来から用いられている軸流ファンをそのままの１ヶで用いるのでは風量が不足し充分に冷却することができない。そこでファン数を増設するとか、出力を大きくするとかが考えられた。しかし、誘導加熱調理器の外郭ケース内という狭い空間で使用するには、吸気が充分取れないし、設置空間も不足していた。また、ファンの容量を大きくすると音が大きく新たに騒音が問題となる。さらに誘導加熱調理器ではトッププレートでこぼした汁や水が吸気口より入り込み、電気部品に悪影響を及ぼすといういわゆる溢水対策についても考慮しなければならなかった。
【０００９】
本発明は前記課題を解決するもので、駆動回路基板を片方に積み重ねて設けても１つのファンで駆動回路を冷却する風量が充分得られるとともに、溢水問題をも解決した冷却構成を提供することを目的とする。
【００１０】
【課題を解決するための手段】
前記従来の課題を解決するために、本発明の誘導加熱調理器は、誘導加熱コイルや駆動回路を冷却する冷却ファンとして遠心型ファンを用いた。しかもこの遠心型ファンは上下両方に吸気口を有し、かつ、上下からの吸気を仕切る仕切り部を設けるとともに、遠心型ファンを囲うファンケースの前記下方の吸気口に対応する風路である貫通孔部分に袴部を設け、外郭ケースの上面に設けた吸気口より侵入した溢水による水の飛沫が前記袴部に当たることにより遠心型ファンに吸い込まれないようにする構成とした。
【００１１】
この構成によって、遠心型ファンの上下より吸気するため吸気量を大幅に増やすことが出来るとともに、仕切り部によって上下の吸気口からの吸気による乱流を防ぎ排気量の最も多い仕切り部を最も冷却の必要な部分に対応させることで冷却効率をあげることができ、さらに、外郭ケースの上面に設けた吸気口より侵入した溢水による水の飛沫が袴部に当たりファンに吸入されにくくなる。
【００１２】
【発明の実施の形態】
請求項１に記載の発明は、外郭ケースの上面に設けたトッププレートと、前記トッププレートの下面に設けた複数の誘導加熱コイルと、前記複数の誘導加熱コイルの夫々に対応して設けた誘導加熱コイルを駆動する駆動回路を有する複数の駆動回路基板を多段に積み重ねた電源供給部と、前記駆動回路基板および誘導加熱コイルに送風する遠心型ファンと、前記遠心型ファンの上部に設けられ前記遠心型ファンを駆動するモータと、前記遠心型ファンを囲うファンケースと、ロースタと、前記誘導加熱コイルと前記ロースタとを操作する操作部とを備え、前記遠心型ファンは上下両方に吸気口を有し、かつ上下からの吸気を仕切る仕切り部を有するとともに、前記ファンケースの前記下方の吸気口に対応する風路である貫通孔部分に袴部を設け、前記外郭ケースの上面に設けた吸気口より侵入した溢水による水の飛沫が前記袴部に当たることにより前記遠心型ファンに吸い込まれないようにした構成とすることにより、遠心型ファンの上下より吸気するため吸気量を大幅に増やすことが出来るとともに、仕切り部によって上下の吸気口からの吸気による乱流を防ぎ排気量の最も多い仕切り部を最も冷却の必要な部分に対応させることで冷却効率をあげることができ、さらに外郭ケースの上面に設けた吸気口より侵入した溢水による水の飛沫が袴部に当たりファンに吸入されにくくなる。
【００１３】
【実施例】
以下、本発明の実施例について、図面を参照しながら説明する。
【００１４】
なお、従来例と同一機能を有する構成については同一符合を付し説明を省略する。また、本発明に用いる誘導加熱調理器の外観斜視図は従来例で説明した外観斜視図と同一でありその説明は省略する。
【００１５】
（実施例１）
図１は本発明の実施例１の誘導加熱調理器の側面断面図である。本実施例では誘導加熱コイルが２つあるいわゆる二口コンロを有する誘導加熱調理器について説明する。
【００１６】
図１において、トッププレート２の下部には図４に示す誘導加熱部３ａに対応して誘導加熱コイル８が基板ベースカバー１８上にバネ１７に支持されて取り付けられている。基板ベースカバー１８の下部は電源供給部１９で二口の誘導加熱コイルの夫々に対応して設けた誘導加熱コイルを駆動する駆動回路９ａ、９ｂを有する駆動回路基板１０ａ、１０ｂがそれぞれの基板ベース２０ａ、２０ｂに取り付けている。この電源供給部１９の横にはファンケース１１とファンカバー１２で囲われたファン室２１が設けられ、その中に遠心型ファン２２と、この遠心型ファン２２を駆動するモータ２３とを設けている。
【００１７】
本実施例では誘導加熱コイルを２個使用し、１個の誘導加熱コイルに対してそれを駆動する駆動回路を設けた駆動回路基板を夫々設け、この駆動回路基板を２枚積み重ねて用いる構成とした。そして、従来駆動回路基板と冷却ファンのあった部分はロースタ部分を拡げ、ロースタの使い勝手をよくしたものである。この構成では、２段に積み重ねた駆動回路基板の駆動回路部分をいかに冷却するかが問題となる。本実施例では冷却を必要とするのは誘導加熱コイル８と２段に積み重ねた駆動回路基板１０ａ、１０ｂ上の駆動回路９ａ、９ｂである。したがって、冷却風は誘導加熱コイル８と２つの駆動回路９ａ、９ｂを冷却する必要がある。このうち２段重ねの上方にある駆動回路９ａ部分の冷却風を多くすることで、駆動回路９ａ冷却後の風を誘導加熱コイル８に効果的に回すことができ、誘導加熱コイル８の冷却性能を向上することができる。
【００１８】
そのため、本実施例では風圧が高く風量が多く取れ、しかも排出口の位置により排出風量をコントロールできる遠心型ファンをもちい、そのうちのシロッコファンに仕切板を設ける構成とした。
【００１９】
以下、本実施例に用いたシロッコファンの構成について述べる。
【００２０】
図１において、遠心型ファンであるシロッコファン２２は下方吸気口２４と上方吸気口２５の２つの吸気口を有している。このため吸気面積が大きくなり吸気量を多く取ることができるようになっている。また、２６は仕切板で上方からの吸気と下方からの吸気とが混じり合い乱流を起こさないようにしたものである。２７は下側排気口、２８は上側排気口である。シロッコファン２２を駆動するモータ２３は後述する溢水対策のためであり、溢水対策が充分取られるならば下方に設けてもよい。ただし、モータ２３も発熱するためその熱影響を少なくするためには上方に設けたほうがよい。
【００２１】
このような構成のシロッコファン２２の風量（排気量）特性を図２に示す。図２は仕切板２６の位置により排出される風量の相対的な違いを示したものである。横軸は下方吸気口２４から仕切板２６までの長さＣと、仕切板２６と上方吸気口２５までの長さＤとの比（下側排気口と上側排気口との面積比）により排出される風量の違いを示したものである。図より長さＣの割合が全体の長さ（Ｃ＋Ｄ）の６０〜８０％位のときに排出される風量が最大となる。これは上方吸気口２５の上部にモータ２３があり上方からの吸気が阻害されるからであり、もしモータ２３が下方に取り付けられたら下方吸気口２４と仕切板２６との長さＣは全体の長さの２０〜４０パーセントの位置に仕切板２６を設けたときに風量は最大となると考えられる。
【００２２】
また、このように仕切板２６を有するシロッコファン２２の各部分の風量は下上吸気口２４、２５付近で最も少なく、仕切板２６に近づくにしたがって、風量は増加し、仕切板２６付近では上下両方から排気される風量があるため、この付近で最大風量となる。したがって最も冷却を必要とする駆動回路９ａの位置にこの仕切板２６の位置がくるように設計することが冷却効率をあげる設計となる。
【００２３】
次に、吸気風路についてのべる。誘導加熱調理器の吸気口５より吸気された冷却風は風路２９を通過した後、風路３０と３１とに分かれシロッコファン２２の下方吸気口４と上方吸気口５とに至る。
【００２４】
本実施例では風量を多く得るために、上方吸気口からの吸気を下方吸気口からの吸気よりも少なくしている。具体的には風路３０の断面積Ａを風路３１の断面積Ｂより大きくしている。これにより下方吸気量をふやすことができるので、冷却風の最も必要な駆動回路９ａへの風量を増やすことができる。
【００２５】
また、上方への風量を減らしたことによりモータ２３の圧損による影響を最小限にとどめることができる。
【００２６】
以上述べたように本実施例に用いるシロッコファン２２は、（１）溢水対策としてモータを上部に設けている、（２）上下吸気口を設け吸気量を増やしている、（３）仕切板を設け上下からの吸気の乱流を防ぐとともに、排気口での風量分布を大きくしており、特に仕切板付近の風量が多くなっていることを特徴としている。
【００２７】
次に冷却風の流れについて説明する。
【００２８】
矢印で示したように誘導加熱調理器の吸気口より取り入れられた冷却風は風路２９を通過したのち、風路３０および３１を通りシロッコファン２２の吸気口２４、２５に至る。シロッコファン２２の仕切り部付近および下側排気口２７より排出された冷却風は駆動回路９ａ、９ｂを冷却した後、誘導加熱コイル８ともう一つの誘導加熱コイル（図示せず）を冷却する。また、上側排気口２８から排出された冷却風の一部は開口３２を通り直接誘導加熱コイル８を主体的に冷却する。したがって、誘導加熱コイル８の冷却性を向上させるには駆動回路９ａ側への冷却風を増す必要があり、駆動回路９ａの位置に仕切板２６を設置して冷却する。この位置に仕切板２６がなくても冷却は可能であるが、このようにすると冷却効率がよくなる。なお、上下排気口の排気量分布は仕切板２６の位置、上下吸気量の調節、すなわち風路３０、３１の断面積の大きさを設計により決めることで容易に変えられる。
【００２９】
以上、本実施例によれば、従来夫々の誘導加熱コイルに対応して誘導加熱コイルごとに設けていた冷却ファンおよび駆動回路基板を、片方の誘導加熱コイル側に駆動回路基板を２段に重ねて配置し、冷却ファンを１つの遠心型ファンに置き換えて配置しても駆動回路および誘導加熱コイルを充分に冷却することができる。したがって、片方の冷却ファンと駆動回路基板との空間が空くため、この部分をロースタの内容積拡大のために利用することができる。
【００３０】
（実施例２）
図３は、本発明の実施例２の誘導加熱調理器の断面図である。
【００３１】
実施例２において実施例１と異なる点は、実施例２は実施例１に溢水対策を加えた点である。したがって、誘導加熱調理器の構成は溢水対策を施した部分以外は図１と同じであり、その説明を省略する。
【００３２】
誘導加熱調理器における溢水問題とは、調理時に使用者が誤って鍋などをひっくり返し、煮汁や水（以下水と記す）がトッププレート２にこぼれ、これが吸気口５より流れ込み外部ケース１にぶつかり飛沫となって飛び散る。この飛沫がシロッコファン２２に吸引され電源供給部１９に運び込まれ、駆動回路基板上の駆動回路やその他の電気部品を損傷するということである。
【００３３】
以下、本実施例における溢水対策を図３を用いて説明する。
【００３４】
図３において、留水板３３は吸気口５より浸入し、外郭ケース１に沿って、または直接落下してきて水を一時的に留めることにより、落下の勢いを低減し飛散するのを防ぐものである。留水板３３には貫通孔３４が設けられている。これは冷却風を通過させるもので、圧損がほとんど生じないように開口面積大きくしている。また、留水板３３と外郭ケース１との間には狭い隙間３５が設けられている。この隙間３５は留水板３３で貯水した水を徐々に漏出させ留水板３３部に水が貯まり、留水板３３を溢れ貫通孔３４より落下し、このとき水が再び飛散するのを防ぐことを目的としている。
【００３５】
前記説明のように留水板３３は水の勢いを止め、飛散量を低減させかつ留水を漏水するようにするとともに、冷却風の通過の邪魔にならないようにする必要がある。この条件を満たすものであればその構成は特に限定されるものではない。すなわち、図３において留水板３３はファンケース１１に取り付け留水板３３と外郭ケース１との間に隙間３５を設ける構成を示したがこれに限定されるものではなく、留水板３３を外郭ケース１に漏水用の隙間を有するようにして取り付け、ファンケース１１と留水板３３との間は空間とするようにしてもよい。
【００３６】
さらに本実施例ではシロッコファン２２の下方吸気口２４に対応するファンケース１１の貫通孔部分に袴部３６を設けた。これは飛沫が袴部３６に当たり、シロッコファン２２に吸い込まれないようにしたものである。ただし、袴の長さが長くなると圧損が大きくなるのであまり長くすることができない。以上、本実施例の溢水対策によりシロッコファン２２に吸い込まれる水の量を大幅に低減することができる。したがって、電気部品の信頼性も大幅に高めることができる。
【００３７】
なお、実施例１においては誘導加熱コイルが２つある２口コンロを有する誘導加熱調理器の２枚の駆動回路基板を積み重ねて用いる場合の冷却について述べたが、これに限定されるものではない。特に実施例１に用いたシロッコファンは上下に吸気口を有するため、外郭ケース内といった狭空間での吸気量がおおくとれ、かつ、排気風量（冷却風量）に分布があるので温度の高い位置に排気風量の多い部分をあてることができる。したがって、１口コンロの１枚の駆動回路基板または２口コンロの駆動回路基板を１枚毎に別々に冷却する場合にも実施例１に示したシロッコファンを用いると大きな冷却効果を得ることができる。このため、駆動回路と誘導加熱コイルの温度上昇を抑えることができ、信頼性を高めることができる。また、誘導加熱コイルの温度上昇を抑えることができ、設計によっては巻線の絶縁区分をＨ種からＦ種に変更、あるいは巻線の線径を小さくすることによりコスト低減を図ることができる。
【００３８】
さらに、駆動回路基板１枚に対応させてシロッコファンを設ける場合でも、実施例１に述べたシロッコファンを駆動するモータをシロッコファンの上部に設ける、シロッコファンの上方吸気口からの吸気を下方吸気口からの吸気量よりも少なくする、シロッコファンの上方吸気口への風路の圧損を下方吸気口への風路圧損より大きくする、または、シロッコファンの上側排気口の面積が、下側排気口の面積より小さくなるように仕切り部を設ける等の構成とすることにより、冷却効率をさらによくすることができる。また、実施例２に述べたように、外郭ケースとファンケースとの間の風路に溢水を一時的に貯える流水板を設け、この流水板と外郭ケースとの間に貯めた溢水が徐々に泥酔するように隙間を設ける構成または、ファンケースの遠心型ファンの下方吸気口に対応する風路に衿部を設ける構成とすることにより、実施例２と同様の溢水対策となることはいうまでもない。
【００３９】
【発明の効果】
以上のように、本発明によれば駆動回路基板を２段に重ねても駆動回路を充分に冷却することができる。また、外郭ケースの上面に設けた吸気口から侵入した溢水により水が飛散し水の飛沫が遠心型ファンに吸い込まれないようにして、電気部品の信頼性を高めることができる。
【図面の簡単な説明】
【図１】本発明の実施例１の誘導加熱調理器の側面断面図
【図２】同誘導加熱調理器のシロッコファンの仕切板位置と排気風量との関係を示す図
【図３】本発明の実施例２の誘導加熱調理器の側面断面図
【図４】誘導加熱調理器の外観斜視図
【図５】従来の誘導加熱調理器の側面断面図
【符号の説明】
１    外郭ケース
２    トッププレート
５    吸気口
６    ロースタ
７    操作部
８    誘導加熱部
９ａ，９ｂ      駆動回路
１０ａ、１０ｂ  駆動回路基板
１９  電源供給部
２２  シロッコファン（遠心型ファン）
２３  モータ
２４  下方吸気口
２５  上方吸気口
２６  仕切板
２７  下側排気口
２８  上側排気口
３０  風路
３３  留水板
３５  隙間
３６  袴部
【図１】
0003539364.tif 000002
【図２】
0003539364.tif 000003
【図３】
0003539364.tif 000004
【図４】
0003539364.tif 000005
【図５】
0003539364.tif 000006